(57)【要約】【課題】ファッション性の向上と、さらに効率のよいグレアカット機能を付与できる眼鏡レンズを提供する。【解決手段】アイポイント（眼鏡を掛けたときの目の位置、瞳孔中心位置、フィッティングポイント）１１を含む高透光性領域１２と、高透光性領域１２の上下左右の少なくとも３方を囲むように設けられた低透光性領域１４であって、高透光性領域１２よりも遮光率の高い低透光性領域１４とを有し、ファッショナブルでグレアカットもできる眼鏡レンズ１０である。【選択図】図１
2011081232.tif 000002
【特許請求の範囲】
【請求項１】
眼の前方を覆うレンズであって、
アイポイントを含む高透光性領域と、
前記高透光性領域の上下左右の少なくとも３方を囲むように設けられた低透光性領域であって、前記高透光性領域よりも遮光率の高い低透光性領域とを有するレンズ。
【請求項２】
請求項１において、前記低透光性領域は、周辺に向かって遮光率が変化する領域を含む、レンズ。
【請求項３】
請求項２において、前記低透光性領域は、周辺に向かって遮光率が増加する領域を含む、レンズ。
【請求項４】
請求項１ないし３のいずれかにおいて、前記少なくとも３方は、前記高透光性領域の上下および耳側を含む、レンズ。
【請求項５】
請求項１ないし４のいずれかにおいて、前記低透光性領域は、ほぼＣ字型の領域を含む、レンズ。
【請求項６】
請求項１ないし５のいずれかにおいて、前記高透光性領域は、視野角が少なくとも１０度で、全遮光率が０〜９５％の領域を含む、レンズ。
【請求項７】
請求項１ないし５のいずれかにおいて、前記高透光性領域は、視野角が２０度よりも狭く、全遮光率が０〜９５％の領域を含む、レンズ。
【請求項８】
請求項１ないし７のいずれかにおいて、前記低透光性領域は、第１の低透光性領域と、前記第１の低透光性領域の全周を囲むように設けられた第２の低透光性領域であって、前記第１の低透光性領域よりも遮光率の高い第２の低透光性領域とを含む、レンズ。
【請求項９】
請求項８において、前記第１の低透光性領域は、水平視野角が３０度よりも狭く、全遮光率が０〜９５％の領域を含む、レンズ。
【請求項１０】
請求項１ないし９のいずれかにおいて、前記低透光性領域は、波長７６０〜１３００ｎｍの光の遮光率が高い領域を含む、レンズ。
【請求項１１】
請求項１ないし９のいずれかにおいて、前記低透光性領域は、波長３１０〜４００ｎｍの光の遮光率が高い領域を含む、レンズ。
【請求項１２】
請求項１ないし１１のいずれかにおいて、比較的遠くを見るための遠用領域と、比較的近くを見るための近用領域と、前記遠用領域と前記近用領域との間にあって屈折力が連続的に変化する領域とをさらに有し、前記アイポイントは、前記遠用領域の中心である、レンズ。
【請求項１３】
請求項１ないし１２のいずれかにおいて、前記低透光性領域は、当該レンズの少なくとも一部が染色された領域を含む、レンズ。
【請求項１４】
請求項１ないし１３のいずれかにおいて、当該レンズの一方の面に形成された調光層であって、前記高透光性領域および前記低透光性領域の遮光率を共に変える調光層と、
前記レンズの他方の面に形成された遮光層であって、前記高透光性領域に対して前記低透光性領域の遮光率を高くする遮光層とを有する、レンズ。
【請求項１５】
請求項１ないし１４のいずれかに記載のレンズは眼鏡レンズであり、
前記眼鏡レンズと、前記眼鏡レンズが取り付けられた眼鏡フレームとを有する眼鏡。
【発明の詳細な説明】
【技術分野】
【０００１】
本発明は、眼鏡レンズに関するものである。
【背景技術】
【０００２】
特許文献１には、左右でレンズのレイアウトが異なる場合であっても左右対称に縦染色することができる染色方法を提供することが記載されている。特許文献１では、そのため、眼鏡用レンズに対して、そのレンズ上に想定される加工後のレンズ形状における垂直中心線を算出する工程と、垂直中心線を基準に染色濃度変化終了位置を決定する工程と、染色開始位置を下に、染色濃度変化終了位置を上にして眼鏡用レンズを染料液中に浸漬し、前記染色開始位置から前記染色濃度変化終了位置に向かって染色濃度が連続的に低下するように染色する工程とを備えている染色方法が記載されている。
【０００３】
特許文献１においては、たとえば、左目用の加工レンズは、染色が施されていない非染色部（明部）と染色が施されている部分を有し、この染色が施されている部分は、内側から外側に向けて（眼鏡フレーム中心から水平方向に遠ざかるにつれて）染色濃度が連続的に高くなるように染色される。つまり、左目用の加工レンズの染色が施されている部分の染色濃度勾配は眼鏡フレーム中心側から外側に向けて徐々に高くなるように染色される。これにより染色が施されている部分の内側に比較的染色濃度が低い（透過率が高い）薄染色部が形成され、外側に比較的染色濃度が高い（透過率が低い）暗部が形成される。
【先行技術文献】
【特許文献】
【０００４】
【特許文献１】特開２００８−９３２７号公報（要約および段落番号００４３）
【発明の概要】
【発明が解決しようとする課題】
【０００５】
特許文献１に開示された技術は、左右対称に染色することができ、ファッション性の高い縦染色の眼鏡レンズを提供するものである。また、眼鏡レンズにおいて、染色により連続的な濃度変化を与えることはファッション性を高めることを主な目的としている。
【０００６】
眼鏡レンズの主な目的は視力矯正であり、ファッション性を高めることも重要である。さらに、眼鏡レンズに遮光性を導入することにより眩しさ（グレア）を緩和することが可能である。そして、グレアを緩和することにより視効率を向上できる。本発明の目的の１つは、ファッション性の向上または選択範囲の増加のみならず、さらに効率のよいグレア緩和またはグレアカット機能を付与できるレンズを提供することである。
【課題を解決するための手段】
【０００７】
本発明の一態様は、眼の前方を覆うレンズであって、アイポイント（眼鏡を掛けたときの目の位置、瞳孔中心位置、フィッティングポイント）を含む高透光性領域と、高透光性領域の上下左右の少なくとも３方を囲むように設けられた低透光性領域であって、高透光性領域よりも遮光率の高い低透光性領域とを有するレンズである。
【０００８】
このレンズは、高透光性領域の上下左右の少なくとも３方を囲むように設けられた低透光性領域により、アイポイントを含む高透光性領域の周囲の少なくとも３方向から入射するグレア光を緩和または遮光（カット）でき、防眩効果が高い。その一方、アイポイントを含む高透光性領域により良好な視野を確保できる。さらに、高透光性領域の上下左右の少なくとも３方を囲むように設けられた低透光性領域は、レンズの色の濃度（濃淡）の変化、反射率（透過率）の変化、微細模様などにより実現される開口率の変化など、外から目に見える変化としてレンズに付与できる。このため、本発明により、Ｃ字型（逆Ｃ字型あるいは上下にＣ字が向いた形状を含む）、コ字型、Ｏ字型、ドーナッツ型といった、ユニークな模様（意匠）を備えたレンズを提供できる。
【０００９】
したがって、防眩効果が高く、良好な視野が確保でき、さらに、新たなデザインを供給できる装飾効果の高いレンズを提供できる。多方向からのグレア光を緩和またはカットできるレンズは、一般ユーザーにおいて眼の保護と快適な視界を確保するために有効であり、白内障などの眼の障害を有するユーザーにおいてはさらに有効である。そして、このレンズは装飾性の高い眼鏡などとして一般のユーザーが装着可能なものとなるので、障害を有するユーザーも気軽に装着でき、ユニバーサルデザイン化されたレンズとして提供できる。
【００１０】
このレンズの低透光性領域は、周辺に向かって遮光率が変化する領域を含むことが望ましい。遮光率の変化も、レンズの色の濃度（濃淡）の変化、反射率（透過率）の変化、微細模様などにより実現される開口率の変化などの外から目に見える変化としてレンズに付与できる。したがって、さらに新しいデザインの、ファッション性の高いレンズを提供できる。さらに、このレンズにおいては、高透光性領域に限らず、低透光性領域の周辺に向かって遮光率が変化する領域（グラディエント領域）を介して装着者は外部を見ることができ、レンズの面積に対して視野角が極端に狭くなることを抑制できる。また、周辺に向かって遮光率が変化する領域の広さ、遮光率の変化率を制御することにより、レンズの面積に対して確保できる視野角を制御できる。
【００１１】
低透光性領域は、周辺に向かって遮光率が増加する領域を含むことが望ましい。高透光性領域と低透光性領域との間に明確な境界が生じることを抑制できる。したがって、さらにファッション性に富んだレンズを提供できる。また、高透光性領域と低透光性領域との間に明確な境界があることにより視野に違和感が生ずることを防止できる。したがって、一般のユーザーや障害を持つユーザーがさらに気軽に使用できるレンズを提供できる。
【００１２】
このレンズにおいて、高透光性領域の上下および耳側を少なくとも含むように低透光性領域を設けることが望ましい。レンズの鼻側に対してグレア光が入射しやすい高透光性領域の上側、下側および耳側のグレア光を抑制または遮光（カット）でき、高い防眩効果とともに良好な視野を確保できる。レンズの鼻側を含めて低透光性領域を設けてもよい。
【００１３】
低透光性領域の一形態はＣ字型（逆Ｃ字型を含む）である。Ｃ字型とは、大小の半径の異なる円または楕円が中心をずらして重なり合い、小径の周（円周）により大径の周（円周）の一部が欠けたような図形を含む。鼻側がカットされたＣ字型は、鼻側に広い視野を確保しやすいとともに鼻側の上下方向のグレア光を抑制できる。下側がカットされたＣ字型は、遠用領域と近用領域とを有する特に累進屈折レンズにおいて近用領域の明視野を確保しやすいとともに鼻側および耳側方向のグレア光を抑制できる。
【００１４】
このレンズにおいては、高透光性領域は、視野角が少なくとも１０度で、全遮光率が０〜９５％の領域を含むことが望ましい。弁別視のときに頭部の動きが伴わない領域（弁別視の際の眼球の運動領域）は視野角が約１０度の領域とされており、その範囲を低透光性領域より明るい高透光性領域として確保することにより、ユーザーが使用する上で違和感が少なく、使い方の相違も少ない、ユニバーサルデザイン化にさらに適したレンズを提供できる。
【００１５】
このレンズにおいては、高透光性領域は、さらに、視野角が２０度よりも狭く、全遮光率が０〜９５％の領域を含むことが望ましい。視野角が２０度よりも広いグレアはソフトなグレア光（障害グレア光、減能グレア光）であり、視野角の小さな領域の不快なグレア光（不快グレア光）と異なり、グレア光の侵入を避けなくても、そのグレア光を抑制することにより作業効率の低下を抑制できる。したがって、高透光性領域の範囲は視野角２０度までとし、視野角が２０度よりも広い領域は低透光性領域として作業の障害となりやすいグレア光が眼に入るのを抑制することが望ましい。
【００１６】
さらに、このレンズにおいては、低透光性領域は、第１の低透光性領域と、第１の低透光性領域の全周を囲むように設けられた第２の低透光性領域であって、第１の低透光性領域よりも遮光率の高い第２の低透光性領域とを含むことが望ましい。障害グレア光の侵入を抑制する低透光性領域を、指標（対象物）を大まかに認識するいわゆる自由視を優先した第１の領域と、グレア光の阻止を優先した第２の領域とを含む多段階に設定することにより、グレア光の影響を抑制し、コントラスト感度（見え方の質、視覚の質）のさらなる向上を図ることができる。第１の低透光性領域は、視野角が３０度よりも狭く、全遮光率が０〜９５％の領域を含むことが望ましい。さらに、遮光率の異なる多段階の領域を設けることにより、低透光性領域でレンズの色を変化させたり、反射率を変化させることが可能となり、より一層ファッション性を高めたり、装飾品として価値の高いレンズを提供できる。
【００１７】
このレンズにおいては、低透光性領域は、近赤外光、すなわち、波長７６０〜１３００ｎｍの光の遮光率が高い領域を含むことが望ましい。網膜疾患、脈絡膜疾患の症状のあるユーザーには特にこの周波数帯のグレア光を抑制することにより弁別能力の向上を図り、作業能率の低下を抑制できる。
【００１８】
また、このレンズにおいては、低透光性領域は、近紫外光、すなわち、波長３１０〜４００ｎｍの光の遮光率が高い領域を含むことも有効である。角膜炎、白内障、緑内障などの症状のあるユーザーには特にこの周波数帯のグレア光を抑制することにより弁別能力の向上を図り、作業能率の低下を抑制できる。視野を確保しながら近赤外光および／または近紫外光を抑制することは、これらの眼の障害の発生を予防するためにも有効であり、これらの障害の症状のないユーザーにおいても本発明のレンズは有用である。
【００１９】
本発明のレンズは、比較的遠くを見るための遠用領域と、比較的近くを見るための近用領域と、遠用領域と近用領域との間にあって屈折力が連続的に変化する中間領域とをさらに有する累進屈折力レンズであってもよい。累進屈折力レンズにおいては、高透光性領域の中心であるアイポイントは、遠用領域の中心であることが望ましい。障害グレア光の影響を遠用領域で削減することが弁別能力の向上につながりやすい。また、屈折力が連続的に変化する累進屈折力レンズの遠用中心をアイポイントとするファッション性に富んだレンズを提供できる。さらに、遠用領域の下側に形成される近用領域が、レンズの縁周辺にまで及んでいる場合であっても、遠用領域の中心をアイポイントとする高透光性領域の上側、鼻側および耳側から入射するグレア光を遮光（カット）し、防眩効果を高めるとともに良好な視野を確保できる。
【００２０】
このレンズにおいては、低透光性領域は、当該レンズの少なくとも一部が染色された領域を含むものであっても良い。染色は、低透光性領域の遮光率を高くするための方法の１つであり、個々のレンズによって色を変えたり、遮光率により１つのレンズに多色を導入することなどにより、さらにファッション性や装飾性の高いレンズを提供できる。
【００２１】
本発明のレンズは、レンズの一方の面に調光層を形成し、他方の面に遮光層を形成したものであってもよい。調光層は高透光性領域および低透光性領域の遮光率を共に変える（調整する）層であり、遮光層は高透光性領域に対して低透光性領域の遮光率を高くする層である。レンズ全体の紫外線カットあるいは赤外線カットを含めた透光性能を調光層として、高透光性領域および低透光性領域の遮光率を制御する遮光層と異なる面に設けることにより、変色、偏光などの機能を、高透光性領域の周囲に低透光性領域が形成されたレンズに付与でき、多機能のレンズを提供できる。
【００２２】
本発明の異なる態様の１つは、上記レンズが眼鏡レンズであり、その眼鏡レンズと眼鏡レンズが取り付けられた眼鏡フレームとを有する眼鏡である。障害グレア光を効率よくカットできるとともに、ファッション性や装飾性が高く、ユーザーが日常的に使いやすい眼鏡を提供できる。ファッション性が高いので、一般のユーザーが使用するのみならず、特定の機能障害をフォローするためにも使用でき、多種多様なユーザーが使用できることから、市場性が高く、機能障害を持つユーザーに対しても低コストで供給可能となる。
【図面の簡単な説明】
【００２３】
【図１】眼鏡レンズを有する眼鏡を物体側から見た斜視図。
【図２】眼鏡レンズを有する眼鏡を物体側から見た正面図。
【図３】眼鏡レンズを物体側から見た正面図。
【図４】図３に示す眼鏡レンズのIV−IV端面図。
【図５】（ａ）は図４に示す遮光層の鉛直方向の遮光率の分布を示した図で、（ｂ）は図４に示す遮光層の水平方向の遮光率の分布を示した図。
【図６】視野角に対応するグレアを示した図。
【図７】視野角と視効率の関係を示した図。
【図８】視野角の求め方を示した図。
【図９】視標探索時の頭位（眼位）運動を示した図。
【図１０】眼鏡レンズの領域を示した図。
【図１１】（ａ）は裸眼の状態で眼球から得られる像の感度を模式的に示した図で、（ｂ）はグレアカット対応の眼鏡レンズを装着した状態で眼球から得られる像の感度を模式的に示した図。
【図１２】グレアカット効果の実験に用いた眼鏡レンズサンプルの正面図。
【図１３】図１２に示す眼鏡レンズの明室におけるコントラスト感度を示した図。
【図１４】図１２に示す眼鏡レンズの明室における異なるコントラスト感度を示した図。
【図１５】図１２に示す眼鏡レンズの半暗室におけるコントラスト感度を示した図。
【図１６】図１２に示す眼鏡レンズの半暗室における異なるコントラスト感度を示した図。
【図１７】染色の一例を示した図。
【図１８】（ａ）は第２の実施形態に係る眼鏡レンズを物体側から見た正面図で、（ｂ）は第２の実施形態に係る眼鏡レンズの遮光層の、鉛直方向の遮光率の分布を示した図。
【図１９】第３の実施形態に係る眼鏡レンズを物体側から見た正面図。
【図２０】（ａ）は第４の実施形態に係る眼鏡レンズの遮光層の、鉛直方向の遮光率の分布を示した図で、（ｂ）は第４の実施形態に係る眼鏡レンズの遮光層の、水平方向の遮光率の分布を示した図。
【図２１】（ａ）は第５の実施形態に係る眼鏡レンズの遮光層の、鉛直方向の遮光率の分布を示した図で、（ｂ）は第５の実施形態に係る眼鏡レンズの遮光層の、水平方向の遮光率の分布を示した図。
【図２２】（ａ）は第６の実施形態に係る眼鏡レンズの遮光層の、鉛直方向の遮光率の分布を示した図で、（ｂ）は第６の実施形態に係る眼鏡レンズの遮光層の、水平方向の遮光率の分布を示した図。
【図２３】（ａ）は第７の実施形態に係る眼鏡レンズの遮光層の、鉛直方向の遮光率の分布を示した図で、（ｂ）は第７の実施形態に係る眼鏡レンズの遮光層の、水平方向の遮光率の分布を示した図。
【図２４】（ａ）は第８の実施形態に係る眼鏡レンズの遮光層の、鉛直方向の遮光率の分布を示した図で、（ｂ）は第８の実施形態に係る眼鏡レンズの遮光層の、水平方向の遮光率の分布を示した図。
【発明を実施するための形態】
【００２４】
１．  第１の実施形態
１．１  眼鏡レンズの概要
図１に、本発明に係る眼鏡レンズ１０を有する眼鏡１を、物体側から見た斜視図で示している。図２に、本発明に係る眼鏡レンズ１０を有する眼鏡１を、物体側から見た正面図により示している。この眼鏡１は、左右一組の正面視楕円形の眼鏡レンズ１０と、眼鏡レンズ１０が取り付けられた眼鏡フレーム９とを備えている。眼鏡レンズ１０は、アイポイント（眼鏡を掛けたときの目の位置、瞳孔中心位置、フィッティングポイント）１１を含む高透光性領域１２と、高透光性領域１２の上下および耳側の３方を囲むように設けられた低透光性領域１４とを含む。低透光性領域１４は、高透光性領域１２よりも遮光率が高く、周辺１５に向かって遮光率が増加する領域（グラディエント領域、グラデーション領域）１６を含む。この眼鏡レンズ１０は、裏面（眼球側の面）１０ｂの色の濃度（濃淡）を徐々に濃くすることにより、高透光性領域１２から低透光性領域１４にかけてグラディエント領域１６を形成している。
【００２５】
図３に、ユーザーの左目用（以降においても、特に記載しない限り左右は眼鏡をかけるユーザー側から見た方向を示す）の眼鏡レンズ１０を抜き出して、物体側から見た正面図で示している。図４に、左目用の眼鏡レンズ１０の概略構成を、縦方向の端面図（図３のIV−IV端面）で示している。図３においては、説明のため、眼鏡レンズ１０におけるアイポイント１１を含む高透光性領域１２と、その高透光性領域１２の上側１８ｃ、下側１８ｄおよび耳側１８ｂの３方を囲むように設けられた低透光性領域１４との境界１３を破線で示している。この例では、周辺１５に向かって遮光率が増加するグラディエント領域１６は境界１３に隣接するように設けられている。したがって、高透光性領域１２と低透光性領域１４との境界１３において遮光率は滑らかに変化しており、破線で示された境界１３は、眼鏡１を装着したときに外から眼鏡１を見た人にも、また、眼鏡１を装着しているユーザーにもほとんど意識されない、あるいは目立たないようになっている。
【００２６】
さらに、この眼鏡レンズ１０は、高透光性領域１２から低透光性領域１４にかけてレンズの色の濃度（濃淡）を徐々に増加させた、物体側から見て逆Ｃ字型状のグラディエント領域１６が設けられており、斬新なデザインの眼鏡レンズである。すなわち、この眼鏡レンズ１０においては、高透光性領域１２の中心となるアイポイント１１が眼鏡レンズ１０の幾何学的な中心１９に対して鼻側１８ａにシフトしている。低透光性領域１４はレンズの幾何学的な中心（長軸と短軸との交点）１９を中心とした径の大きな楕円または円として認識され、高透光性領域１２はアイポイント１１を中心とした径の小さな楕円または円として認識され、低透光性領域１４の周囲であるレンズの周囲１０ｅが高透光性領域１２と低透光性領域１４との境界１３と交わり、または接し、低透光性領域１４の鼻側１８ａの一部が途切れた状態となり、低透光性領域１４が全体として鼻側１８ａが切れたＣ字型（逆Ｃ字型）をなしているようなデザインとなる。なお、本明細書においては、特に記載しない限り、Ｃ字型は鼻側１８ａがカットされた逆Ｃ字型、耳側１８ｂがカットされたＣ字型、上側１８ｃがカットされたＣ字型、下側１８ｄがカットされたＣ字型を含む。
【００２７】
さらに、この眼鏡レンズ１０においては、高透光性領域１２と低透光性領域１４との間に明確な境界がない。したがって、眼鏡レンズ１０を装着することにより、以下に説明するグレアカット効果が得られるとともに、視野に違和感が生ずることを抑制できる。このため、一般のユーザーや障害を持つユーザーが日常生活において抵抗感を抱くことなく、さらに気軽に使用できるファッション性に富んだ眼鏡レンズ１０である。なお、眼鏡レンズ１０は、裏面（眼球側の面）１０ｂの側から見た場合にも、表面（物体側の面）１０ａから見た場合と同様に（左右対称になる場合もあるが）、図３に示したデザインとして認識される。
【００２８】
眼鏡レンズ１０は、レンズ基材４１の裏面４１ｂ、すなわち眼球１０１の側に遮光率が変化する遮光層２０を含み、レンズ基材４１の前面４１ａ、すなわち物体側に調光層３０を含む構造を有する。眼鏡レンズ１０の物体側の面（表面）１０ａに形成された調光層３０は、紫外線を含む光の照射により変色する調光機能（フォトクロミック機能）を有する層であり、調光機能を有する液体（コーティング液）を塗布することにより製造されている。そのようなコーディング液としては、フォトクロミック化合物、ラジカル重合性単量体及びアミン化合物を含み、ラジカル重合性単量体がシラノール基または加水分解によりシラノール基を生成する基を有するラジカル重合性単量体を含むものを挙げることができる。調光層３０は、眼鏡レンズ１０の高透光性領域１２および低透光性領域１４の遮光率を共に変える（調整する）層である。調光層３０の一例は、紫外線の強度により遮光率が変わり、可視光（４６０〜６００ｎｍ、好ましくは４００〜７６０ｎｍ）を０％から５０％の範囲でカットし、近紫外光（３１０〜４００ｎｍ）の範囲を０％から９０％、さらに好ましくは０％から１００％の範囲でカットするものである。
【００２９】
眼鏡レンズ１０の裏面（眼球１０１の側の面）１０ｂの遮光率が変化する遮光層２０は、染色可能なハードコート層４３の染色濃度を変えることにより形成している。この遮光層２０により高透光性領域１２と、高透光性領域１２に対して遮光率の高いグラディエント領域１６を含む低透光性領域１４が形成されている。
【００３０】
図５（ａ）に、左目用の眼鏡レンズ１０のハードコート層４３（遮光層２０）を抜き出して、アイポイント１１を含む鉛直方向の視野角（鉛直視野角）θｙに対する染色状態を示している。図５（ｂ）に、左目用の眼鏡レンズ１０のハードコート層４３（遮光層２０）を抜き出して、アイポイント１１を含む水平方向の視野角（水平視野角）θｘに対する染色状態を示している。
【００３１】
具体的には、図５（ａ）に示すように、ハードコート層４３の鉛直視野角θｙ（以下で説明する）がアイポイント１１に対し０度から１５度の範囲は染色されておらず、ハードコート層４３による遮光率の増加は図られておらず、基本的には遮光率は０％となっている。ハードコート層４３の鉛直視野角θｙが１５度から３０度の範囲は、鉛直視野角θｙにほぼ比例して遮光率が０％から３０％に徐々に変化するように染色されている。なお、視野角θ、鉛直視野角θｙおよび水平視野角θｘは、特に記載しないかぎりアイポイント１１を中心とするプラス方向およびマイナス方向の視野角を含む。また、視野角θという記載は、特に記載しないかぎり鉛直視野角θｙおよび水平視野角θｘに共通する特徴を示す。さらに、本明細書において遮光率が０％とは、染色などにより遮光率の増加が図られていないことを示しており、レンズ基材４１およびその他の層４２〜４５などによる光の吸収は考慮していない。したがって、レンズ基材４１およびその他の層４２〜４５などによる光の吸収により、本明細書において遮光率が０％と記載しても、眼鏡レンズ１０により光の吸収（減衰）が認められることがある。
【００３２】
一方、図５（ｂ）に示すように、ハードコート層４３の水平視野角θｘ（以下で説明する）がアイポイント１１を中心として鼻側１８ａおよび耳側１８ｂに０度〜２０度の範囲は染色されておらず、ハードコート層４３による遮光率は０％となっている。ハードコート層４３の水平視野角θｘが耳側１８ｂの方向に２０度から４０度の範囲は、水平視野角θｘにほぼ比例して遮光率が０％から４０％に徐々に変化するように染色されている。ハードコート層４３の水平視野角θｘが耳側１８ｂの方向に４０度以上の範囲は、遮光率４０％となるように染色されている。なお、眼鏡レンズ１０の鼻側１８ａは、水平視野角θｘが０度〜２０度の範囲のみであり、この眼鏡レンズ１０の鼻側１８ａは全体が高透光性領域１２である。
【００３３】
したがって、この眼鏡レンズ１０においては、鉛直視野角θｙが１５度以下であって水平視野角θｘが２０度以下の範囲を高透光性領域１２、鉛直視野角θｙが１５度を超え水平視野角θｘが耳側１８ｂの方向に２０度を超える範囲を低透光性領域１４、鉛直視野角θｙが１５度を超え水平視野角θｘが耳側１８ｂの方向に２０度から４０度の範囲をグラディエント領域１６とすることができる。
【００３４】
図４に示すように、眼鏡レンズ１０は、レンズ基材４１の裏面４１ｂには、レンズ基材４１よりプライマー層４２、ハードコート層４３、反射防止層４４および防汚層４５が積層されており、ハードコート層４３が染色層（遮光層）２０となり、眼鏡レンズ１０の場所（視野角）に依存した遮光率を制御している。レンズ基材４１の前面４１ａにはレンズ基材４１よりプライマー層４２、ハードコート層４３、反射防止層４４、調光層３０および防汚層４５が積層されており、調光層３０は、眼鏡の使用時刻あるいは場所などによる遮光率を制御している。染色層２０を表面１０ａの側に設け、調光層３０を裏面１０ｂの側に設けることも可能である。しかしながら、調光層３０が紫外線により感度良く変色するためには、紫外線がレンズ基材４１あるいは他の層により吸収されやすい裏面１０ｂの側よりも紫外線に晒されやすい表面１０ａの側に調光層３０を設けることが望ましい。なお、この眼鏡レンズ１０の製造方法については以下でさらに説明する。
【００３５】
１．２  高透光性領域および低透光性領域を有する眼鏡レンズのグレアカット効果について
図６に、視野角に対応するグレア（眩しさ）を示している。図７に、視野角と視効率（見えやすさ）の関係を示している。図８に、視野角の求め方を示している。図８に示すように、眼球１０１の視軸（アイポイント１１を通る線）１０５に対する視野角θ（鉛直視野角θｙ、水平視野角θｘ）は、眼鏡装用距離Ｌおよび視野幅Ｆｗにより、以下の式（１）で求められる。
θ＝ｔａｎ−１（Ｆｗ／Ｌ）・・・（１）
【００３６】
視野幅Ｆｗは眼鏡レンズ１０のアイポイント１１からの距離を示す。図１ないし図３に示したような眼鏡レンズ１０のデザインは、アイポイント１１を１つの中心として変化する模様が主なものである。したがって、アイポイント１１からの距離が主なファクターとしてデザインが決まる。また、眼鏡装用距離Ｌは概ね２５ｍｍ程度でほぼ一定している。このため、眼鏡レンズ１０のデザインを視野角θ（鉛直視野角θｙ、水平視野角θｘ）で定義することが可能である。たとえば、視野幅Ｆｗが４ｍｍは視野角θが約９度に相当する。したがって、以下においては、視野角θを用いて、上記の眼鏡レンズ１０に付されたデザインと、グレアカットとの関係について説明する。なお、以下において視野角θ（鉛直視野角θｙ、水平視野角θｘ）は、特別に記載しない限り絶対値または円錐の半頂角を意味し、立体角に対応するものである。したがって、視野角θは、視軸１０５に対して水平または鉛直（垂直）方向に±θであることを示す。
【００３７】
図６は、注視線（図面の０度の線、視軸）１０５に対してある角度（グレア角）φに強い光（光源）１０３があるときに、対象物１０２の見え方が低下することを照度低下に換算した値で示している。図７は、見え方の低下（照度低下）を視効率の低下として、グレア角φに対して示している。図６に示すように、視標（対象物）１０２に対するグレア角φにより視効率（見えやすさ）は変化するが、視野内に光源１０３があるとグレアとなり視効率が低下することが分かる。全体的に眼球１０１に入射する光（グレア光）が視標（対象物）１０２から離れるにつれて、徐々にグレア（眩しさ）が緩和され視効率（見えやすさ）が向上する。
【００３８】
このようなグレア（眩しさ、羞明）は、過剰な輝度または過剰な輝度対比のために不快感または視機能低下につながり、不快グレアと障害グレア（減能グレア）に分類される。グレア角φが２０度以下のグレアによる視効率の低下はほぼ５０％を超えて著しく、対象物１０２の判別が難しくなる。したがって、不快感を覚え、人間はほとんど無意識に眼球１０１を動かしたり、頭を動かしたり、姿勢を変えたりするなどの動作を行い、少なくともその範囲（グレア角φが２０度）にグレア光が入らないようにする。このようなグレア光を不快グレア光５１と呼ぶ。「不快グレア」は、視野内で隣接する部分の輝度差が著しい場合や、眼に入射する光量が急激に増したときに不快を感じる状態をいう。
【００３９】
一方、グレア角φが２０度から４０度の範囲のグレア光による視効率の低下はほぼ５０％以内である。したがって、この角度範囲のグレア光は極端な不快感をもたらさない緩やかな、あるいはソフトなグレア光である。しかしながら視効率は低下する。このため、この角度範囲のグレア光は障害グレア光（減能グレア光）５２と呼ばれる。減能グレア光５２については、眼組織内において生ずる散乱光による網膜像のコントラストの低下、露出不足、網膜順応不能などが視力の低下につながると考えられている。また、印刷面における反射光により文字が読みにくくなるような反射グレアも減能グレア光５２に含まれる。
【００４０】
したがって、視効率の低下を抑制するためには、不快グレア光５１に対しては、どのような方向からの光であっても素早く不快グレア光５１を少なくとも減能グレア光５２の範囲に動かして視野を確保することが望ましい。また、減能グレア光５２に対してはその影響を定常的に、また、効果的にカットして良好な視野を確保できるようにすることが望ましい。放置すれば無意識に入射し続ける減能グレア光５２をカットすることは視野を確保するだけではなく、眼球、角膜などに障害が発生するのを未然に防止するためにも有効である。さらに、白内障の患者にとっては、混濁した水晶体の中を光が散乱するのでグレア光によるコントラスト感度の低下が大きく、そのような眼の病気を持ったユーザーにおいては、減能グレア光５２をカットすることは視力を矯正するためにも有効である。
【００４１】
図９は、視標探索時の頭位（眼位）運動を観察した一例を示している。図９に示した幾つかのグラフは、注視点より水平方向にある角度だけ移動した視標（対象物）を認識するために、頭部がどの程度回転するかを示している。視標（対象物）を注目させる注視の状態においては、グラフ１８１に示すように頭部は対象物とともに回転する。これに対して、視標（対象物）を単に認識する程度の弁別視の状態においては、グラフ１８２に示すように、頭部の動きは対象物の角度（移動）に対して１０度程度小さく（少なく）なる。この観察結果により、眼球の動きにより対象物を認識できる範囲の限界を約１０度程度に設定できる。したがって、視野角θが１０度程度以内を弁別視力領域（弁別視の際の眼球の運動領域）と設定できる。さらに、指標（対象物）を大まかに認識する自由視の状態においては、グラフ１８３に示すように、対象物の角度（移動）に対して１５度程度小さく（少なく）なる。したがって、視野角θが１５度程度以内を自由視力領域（自由視の際の眼球の運動領域）と設定できる。
【００４２】
図１０に、上記考察に基づき本願の発明者が眼鏡レンズ１０において設定した幾つかの領域を示している。眼鏡レンズ１０の視軸１０５に対する視野角θが１０度以内の範囲は弁別視力領域９１と定義できる。上述したように視野角θが１０度以内の範囲は、弁別視のために主に眼球が動く。したがって、この範囲はできる限りクリアーな視界が得られることが望ましく、紫外線などが極端に強い場合を除き、グレア光をカットすることよりもクリアーな視界を得ることが望ましいと考えられる。
【００４３】
視軸１０５に対する視野角θが２０度以内の範囲は眼球運動領域９２と定義できる。この眼球運動領域９２には、弁別視力領域９１および自由視力領域９５が含まれる。グレア角φが２０度以下のグレア光は不快グレア光５１であり、視野角θが２０度以下の範囲にグレア光があれば、この範囲のグレア光は眼球または頭の動きで避けると予想される。したがって、視野角θが２０度以下の領域は、基本的には、グレア光をカットまたは抑制することよりも、紫外線などが極端に強い場合を除き、クリアーな視界を得ることが望ましいと考えられる。
【００４４】
一方、視野角θが１０度から２０度の範囲は、弁別視力領域９１を超えており、弁別視力領域９１ほど視覚に影響を与えない。さらに、自由視力領域９５は視野角θが１５度以下程度までであり、視野角θが１５度を超えると対象物を視野に捉えてもその対象物の明確な把握に寄与する率（能力）は少ない領域であるといえる。したがって、視野角θが１０度から２０度の範囲は中間領域９６であり、クリアーな視界を得ることと、グレア光をカットまたは抑制することとをある程度のレベルで両立させたり、またはいずれか一方を優先してもよい。すなわち、視野角θが１０度から２０度程度の中間領域９６は、ユーザーあるいは用途により眼鏡レンズ１０の機能をフレキシブルに設定でき、また、この中間領域９６は眼鏡レンズ１０のデザインのフレキシビリティが高い領域となる。
【００４５】
視軸１０５に対する視野角θが２０度から４０度の範囲はグレアカット領域９３である。図６および図７に示したように、グレア角φが２０度以上の領域のグレア光は障害グレア光５２であり、この範囲のグレア光は眼球や頭部の動きにより避けられない可能性がある。また、この範囲のグレア光は視効率の低下に繋がる。したがって、グレアカット領域９３においては、クリアーな視界を得ることよりもグレア光をカットすることを優先することが望ましい。その一方、視野の感度分布や網膜上の視細胞の分布を考慮すると、視野角θが４０度の付近でも十分な感度があることが認められており、さらに、視野角θが３０度の付近で感度および視細胞の分布は比較的急激に増加する。したがって、視野角θが２０度から４０度の範囲で完全に眼球１０１に入る光を遮断すると、その範囲の視野感度がなくなり、視細胞の機能が活かされない。このため、眼球１０１の弁別能力を活かすためには視野角θが４０度程度までグレア光のカットを優先しながらある程度の視界が確保できることが望ましい。
【００４６】
さらに、視野角θが２０度から３０度の範囲は、視野感度も比較的高く、視細胞の分布も高い。したがって、視野角θが２０度から３０度の領域９７はグレアカット領域９３ではあるが、視野角θが３０度を超える領域に対して遮光率を低くし、グレアカットを若干低くしてクリアーな視野が得られるようにすることも有効な領域である。したがって、この領域９７も中間領域９６と同様に、ユーザーあるいは用途により眼鏡レンズ１０の機能をフレキシブルに設定でき、また、デザインのフレキシビリティが高い領域となる。
【００４７】
視軸１０５に対する視野角θが４０度から４５度の範囲は、殆どの眼鏡レンズ１０においてフレームに入れるために加工される領域であり、眼鏡１のフレーム領域９４である。したがって、フレーム領域９４のグレア光はカットされる。図３に示した眼鏡レンズ１０のように、アイポイント１１が鼻側（眼鏡フレーム中心側）１８ａに寄っている（ずれている、シフトしている）場合には、眼鏡レンズ１０の耳側１８ｂの視野角θ（水平視野角θｘ）が４０度以上、たとえば、５０度または５５度程度までの範囲をカバーすることがある。このような場合は、水平視野角θｘが４０度を超える領域もグレアカット領域９３として処理することが視野を確保するために望ましい。水平視野角θｘが４０度を超える領域を、グレアカット領域９３に対してさらに遮光率の高い領域にすることも可能である。
【００４８】
このように、グレアカットという機能の実現を考慮すると、アイポイント１１を通る視軸１０５を中心とする視野角θで幾つかの機能領域を設定できる。図８を参照して説明したように、眼鏡レンズ１０の表面１０ａおよび裏面１０ｂを含む視野領域は視野角θ（鉛直視野角θｙ、水平視野角θｘ）で定義することが可能であり、視野角θで機能を定義できる領域は、眼鏡レンズ１０の視野領域ではアイポイント１１を中心とするＣ字型状、同心円状、同心の楕円状さらにはドーナッツ状などの形状で定義される。なお、以降においては、視野領域を表面１０ａまたは裏面１０ｂのみで説明することがある。したがって、図１ないし図３において示した眼鏡レンズ１０の表面１０ａに見えるＣ字型状、ドーナッツ状のデザインと、グレアカットという機能とを関連させることが可能であり、グレアカット機能と斬新なデザインとを合わせもった眼鏡レンズ１０を提供できる。
【００４９】
図１１は、減能グレア光５２をカットする効果を模式的に示す図である。図１１（ａ）は、裸眼の状態（グレアカットをしていない状態）で眼球１０１から得られる像の感度を模式的に示している。眼球１０１には注視している物体からの光束１０７ａとともに、グレア光（減能グレア光）１０７ｂが入射される。グレア光１０７ｂは網膜１０６で結像したり、水晶体１０９で乱反射する。
【００５０】
図１１（ｂ）は、眼球１０１の前方にグレアカット対応の眼鏡レンズ１０を装着した状態で眼球１０１から得られる像の感度を模式的に示している。眼鏡レンズ１０は、アイポイント１１を中心とする高透光性領域１２と、その周囲に形成された遮光性の高い低透光性領域１４とを含む。したがって、眼球１０１には注視している物体からの光束１０７ａは裸眼と同様に入射するが、グレア光（減能グレア光）１０７ｂは低透光性領域１４により強度が著しく低下する。このため、グレア光１０７ｂは網膜１０６でほとんど結像せず、また、水晶体１０９で乱反射する可能性も小さい。このため、網膜１０６を介して認識される像としてはコントラスト感度が向上すると考えられる。周囲の画像の輝度（刺激）を抑制することにより、高感度部と隣り合う弱感度部はより弱く、弱感度部と隣り合う高感度部はより強く刺激を受け、物体がシャープに見える現象を側（方）抑制効果と呼ぶことがある。
【００５１】
１．３  グレアカット効果の実験
図１２に、グレアカット効果の実験に用いた眼鏡レンズサンプル１１０を示している。この眼鏡レンズサンプル１１０は、レンズ中央部に、高透光性領域１２に対応した透明領域１１２と、その上下左右を囲む周辺部に、低透光性領域１４に対応した不透明領域１１４とを含む。具体的には、この眼鏡レンズサンプル１１０は全体として不透明な部材であり、レンズ中央部にアイポイント（瞳孔中心位置）１１１を中心とした上下±５ｍｍ、左右±４ｍｍの開口からなる透明領域１１２を有する。透明領域１１２のサイズは、鉛直視野角θｙが±約１１度および水平視野角θｘが±約９度に対応する。
【００５２】
図１３から図１６に、眼鏡レンズサンプル１１０と、全面無色透明の眼鏡レンズサンプル（比較レンズサンプル）とを交換して装着し、２人の被験者に対して行ったコントラスト感度の比較実験結果を示している。上記の眼鏡レンズサンプル１１０を装着した結果はグレアカットとして実線で示し、比較レンズサンプルを装着した結果は比較として破線で示している。各図の横軸は、空間周波数（ｃｐｄ、Cycle Per Degree）を示す。空間周波数は、単位視野角当たりに明暗（白黒）の縞模様が何組あるかを表す値であり、ｃｐｄは角度１度の範囲に白黒のペアがいくつあるかを示している。各図の縦軸は、コントラスト感度を示しており、それぞれの縞（白黒ペア）でどの程度の明暗のコントラストを被験者が感じたかを示している。
【００５３】
被験者は５５歳の男性Ａおよび５０歳の男性Ｂの２人であり、測定にはベクタービジョン社製のグレア付きコントラスト感度測定器ＣＳＶ−１０００を使用し、測定距離を２ｍに設定した。
【００５４】
図１３および図１４は明室でグレア光がない状態での測定結果を示す。グレア光がない状態であっても、低周波数（３ｃｐｄから６ｃｐｄの空間周波数帯域）において眼鏡レンズサンプル（グレアカットサンプル）１１０を用いることによりコントラスト感度が向上するとの結果が得られた。
【００５５】
図１５および図１６は、半暗室でグレア光がある状態での測定結果を示す。男性Ａおよび男性Ｂで傾向の差はあるが、概ね３ｃｐｄから１８ｃｐｄの広い空間周波数帯域でグレアカットサンプル１１０を用いることによりコントラスト感度が向上するとの結果が得られた。したがって、グレアカットサンプル１１０を装着することによりグレア光がない状態でもコントラスト感度が向上する可能性があり、グレア光がある場合はグレアカットサンプル１１０を装着することにより幅広い周波数帯域でコントラスト感度が向上することが分かった。
【００５６】
図１ないし図４に示す眼鏡レンズ１０は、アイポイント１１を中心として遮光率が変化するデザインの眼鏡レンズであって、アイポイント１１を中心とする高透光性領域１２と、その上側１８ｃ、下側１８ｄおよび耳側１８ｂの３方を囲う低透光性領域１４とを有する。この眼鏡レンズ１０は、上記のグレアカットサンプル１１０に対して鼻側１８ａの低透光性領域１４がカットされる、または面積が小さいので、鼻側１８ａのグレアカット機能は一部低下する可能性がある。しかしながら、少なくとも３方のグレア光をカットすることにより、上記とほぼ同等またはそれに近いコントラスト感度の向上が得られると考えられる。さらに、鼻側１８ａは、鼻自体が障壁となりグレアに対する感度が弱いケースが多く、眼鏡レンズ１０は十分なグレアカット機能を備え、コントラスト感度の向上に効果があると考えられる。
【００５７】
さらに、図１ないし図４に示した眼鏡レンズ１０は、高透光性領域１２から低透光性領域１４にかけてレンズの色の濃度（濃淡）を徐々に増加させたグラディエント領域１６を含むデザインが採用されており、高透光性領域１２と低透光性領域１４との間に明確な境界が生じない。したがって、眼鏡レンズ１０の全体にわたりレンズの色の濃度（濃淡）が徐々に変化するので、視野に違和感が生ずることを防止できる。それとともに、気軽に使用できるファッション性に富んだ眼鏡レンズ１０となる。このため、眼鏡レンズ１０を含む眼鏡１は、一般のユーザーがファッションに機能を兼ね備えたアイテムとして装着でき、また、障害を持つユーザーが日常生活において抵抗感を抱くことなく装着できるものとなる。
【００５８】
また、この眼鏡レンズ１０においては、低透光性領域１４の遮光率を眼鏡レンズ１０の周辺部で４０％程度（紫外線の強い場合は調光層３０の機能により９０％程度）に止め、特に夜間や室内においてある程度の透光率を確保している。したがって、低透光性領域１４においてグレア光をある程度カットするが、低透光性領域１４の視野を完全に隠すことなく、眼球１０１の視野感度や視細胞をできるだけ活用し、広い視野が得られるようになっている。
【００５９】
さらに、グラディエント領域１６はデザイン性を向上させるだけではなく、遮光率をアイポイント１１から周辺（外側）に向けて徐々に増加することにより、減能グレア光５２のカットと、クリアーな視界との両立を図ろうとしている。したがって、この点でも視野が広く、かつ、グレア光の影響を抑制できる眼鏡レンズ１０を提供できる。さらに、クリアーな視界とグレアカットとがトレードオフの関係になる場合は、グラディエント領域１６および低透光性領域１４は、アイポイント１１に対して高透光性領域（明領域）１２の上側１８ｃ、下側１８ｄおよび耳側１８ｂの３方を囲うように設けられており、最小限の眼球や頭部の動きによりユーザーが最も見やすい条件を容易に実現できるようにしている。
【００６０】
グラディエント領域１６および低透光性領域１４は、基本的にグレア光をカットできるので、減能グレア光５２のカットだけではなく、不快グレア光５１に対しても有効である。さらに、グラディエント領域１６および低透光性領域１４は、アイポイント１１の上側１８ｃ、下側１８ｄおよび耳側１８ｂの３方向に設けられているので、鼻側１８ａを除いてどの方向に視軸１０５を動かしてもグレア光をカットできる。したがって、不快グレア光５１に対しても、視軸１０５の動きが最少となる方向に眼球や頭部を動かすことにより不快グレア光５１を減能グレア光５２の範囲に移動させることができ、その影響を抑制できる。
【００６１】
このように、眼鏡レンズ１０は機能およびデザインの両面において優れており、多種多様なユーザーが使用できる。したがって、この眼鏡レンズ１０の市場性は高く、低コストで製造できる可能性がある。このため、機能障害を持つユーザーに対しても低コストで供給可能となり、誰もが容易に使用でき、使い方が簡単で使用する上での自由度が高く、気軽に使用することができるユニバーサルデザイン化された眼鏡１を提供できる。
【００６２】
さらに、この眼鏡レンズ１０は、調光層３０を含む。このため、昼間の屋外においては、調光層３０が光（紫外線）を感知して黒色などの暗い色に変色するので、低透光性領域１４に限らず高透光性領域１２の遮光率を高くできる。したがって、高透光性領域１２も含め、紫外線カットやグレアカット機能を付与できる。さらに、調光層３０による色変化がハードコート層４３の染色に対して主体となる眼鏡レンズ１０においては、昼間の屋外においては、眼鏡レンズ１０の全体が暗くほぼ一色のレンズに見え、夜間および屋内においては、ハードコート層４３の染色により施されたＣ字型状の模様が見えるという、時と場所によりデザインが変化する眼鏡レンズ１０として提供することも可能である。したがって、眼鏡レンズ１０の全体の変色、偏光などの機能と、視野角によるグレアカットの機能とを有し、さらに装飾性の高いデザインを備えた眼鏡１として、様々な時や場所において使用することができる眼鏡レンズ１０および眼鏡１を提供できる。
【００６３】
この眼鏡レンズ１０においては、弁別視力領域９１をカバーできるように、視野角θが少なくとも１０度の範囲（たとえば、眼鏡装着用距離Ｌが２５ｍｍのとき（以下においても同様）にアイポイント１１からの半径が４〜５ｍｍの範囲）が高透光性領域１２であることが好ましい。高透光性領域１２は、自由視力領域９５を考慮すると視野角θが少なくとも１５度の範囲（アイポイント１１からの半径が６．５〜７．５ｍｍの範囲）であってもよく、さらに、中間領域９６を含み、視野角θが少なくとも２０度の範囲（アイポイント１１からの半径が８．５〜９．５ｍｍの範囲）であってもよい。高透光性領域１２では、可視光領域および近紫外光領域または近赤外光領域を含む全遮光率が９５％以下であることが好ましい。全遮光率はハードコート層４３の染色で実現されてもよく、調光層３０との組み合わせで実現されてもよい。クリアーな視界を確保するという点では、全遮光率が９０％以下であることが望ましく、全遮光率が８０％以下であることがさらに好ましく、全遮光率が７０％以下であることがいっそう好ましい。また、高透光性領域１２の全遮光率は０％以上であることが好ましく、デザイン性や、常時光をカットすることが望ましいユーザーに対しては、全遮光率が５％以上であってもよく、全遮光率が１０％以上であってもよい。
【００６４】
低透光性領域１４は、グレアカット領域９３を考慮すると視野角θが２０度を超える範囲（アイポイント１１からの半径が８．５〜９．５ｍｍを超える範囲）であることが好ましく、自由視力領域９５を考慮すると視野角θが１５度を超える範囲（アイポイント１１からの半径が６．５〜７．５ｍｍを超える範囲）であってもよく、さらに、弁別視力領域９１を含まない視野角θが１０度を超える範囲（アイポイント１１からの半径が４〜５ｍｍを超える範囲）であってもよい。低透光性領域１４では、グラディエント領域１６の外側、たとえば視野角θが４０度を超える範囲（アイポイント１１からの半径が２０．５〜２１．５ｍｍを超える範囲）または３０度を超える範囲（アイポイント１１からの半径が１４〜１５ｍｍを超える範囲）においてグレアカットを優先すると可視光領域および近紫外光領域または近赤外光領域を含む全遮光率が１００％であってもよいが、視界の確保を考慮すると全遮光率が９５％以下であることが好ましい。低透光性領域１４の全遮光率は高透光性領域１２と同様にハードコート層４３の染色で実現されてもよく、調光層３０との組み合わせで実現されてもよい。クリアーな視界を確保するという点では、全遮光率が９０％以下であることが望ましく、全遮光率が８０％以下であることがさらに好ましく、全遮光率が７０％以下であることがいっそう好ましい。また、低透光性領域１４の全遮光率は、少なくともグラディエント領域１６の外側においてはグレアカットするために１０％以上であることが好ましく、２０％以上であることがさらに好ましく、３０％以上であることがいっそう好ましい。
【００６５】
１．４  製造方法
１．４．１  レンズ本体の製造
上述した眼鏡レンズ１０の製造方法の一例を説明する。この例では、反射防止層４４および防汚層（撥水層）４５まで積層したのちにハードコート層４３を染色できる眼鏡レンズ１０を製造し、その後、ドーナッツ状の染色を施す例を説明する。反射防止層４４および防汚層（撥水層）４５まで積層したのちにハードコート層４３を染色できる眼鏡レンズ１０については、本願出願人の出願である特開２００６−１３９２４７号公報に詳しく記載されている。
【００６６】
本発明に係る眼鏡レンズ１０は図４に示したような構成を備えている。まず、所望の光学的な性能を備えたレンズ基材４１を、例えば、セイコーエプソン（株）製、セイコースーパーソブリン用レンズ生地（ＳＳＶ）を用いて形成する。
【００６７】
次に、プラスチック製のレンズ基材４１の両面に、レンズ基材４１およびハードコート層４３の密着性を向上させるプライマー層（下地層）４２を浸漬法により形成する。プライマー層４２を形成するための塗布液Ｐ１は、例えば、市販のポリエステル樹脂「ペスレジンＡ−１６０Ｐ」（高松樹脂（株）製、水分散エマルジョン、固形分濃度２７％）１００部に、ルチル型酸化チタン複合ゾル（触媒化成工業（株）製、商品名オプトレイク１１２０Ｚ）８４部、希釈溶剤としてメチルアルコ−ル６４０部、レベリング剤としてシリコーン系界面活性剤（日本ユニカー（株）製、商品名「ＳＩＬＷＥＴ Ｌ−７７」）１部を混合し、均一な状態になるまで撹拌して調製する。この塗布液Ｐ１を、レンズ基材４１の両面に、ディッピング方式（引き上げ速度１５ｃｍ毎分）により塗布し、塗布後のレンズ基材４１を８０℃で２０分間風乾することにより、プライマー層４２を形成する。塗布液Ｐ１により形成されたプライマー層４２の焼成後の固形分は、６２重量％のポリエステル樹脂と、３８重量％のルチル型酸化チタン複合ゾルとを含んでいる。
【００６８】
プライマー層４２が積層されたレンズ基材４１の表面に、ガラス製に比べて傷つきやすいプラスチック製のレンズ基材４１の表面硬度を向上させるハードコート層であって染色性を有するハードコート層４３を形成する。ハードコート層４３を形成するための塗布液Ｈ１は、例えば、プロピレングリコールメチルエーテル１３８部、ルチル型酸化チタン複合ゾル（触媒化成工業（株）製、商品名オプトレイク１１２０Ｚ）６８８部を混合した後、γ―グリシドキシプロピルトリメトキシシラン１０６部、グリセロールポリグリシジルエーテル（ナガセ化成工業（株）製、商品名デナコールＥＸ３１３）３８部を混合して得た混合液に、０．１Ｎ塩酸水溶液３０部を撹拌しながら滴下し、さらに４時間撹拌後、一昼夜熟成させる。その後、この混合液に、Ｆｅ（III）アセチルアセトネート１．８部、シリコーン系界面活性剤（日本ユニカー（株）製、商品名Ｌ−７００１）０．３部を添加して調製する。この塗布液Ｈ１を、プライマー層４２の表面に、ディッピング方式（引き上げ速度３５ｃｍ毎分）により塗布し、塗布後のレンズ基材４１を８０℃で３０分間風乾し、さらに、１２０℃で１２０分焼成を行うことにより、２．３μｍ厚のハードコート層４３を形成する。形成されたハードコート層４３は、多官能エポキシ化合物であるグリセロールポリグリシジルエーテルを十分に含んでおり、染色可能なハードコート層である。塗布液Ｈ１により形成されたハードコート層４３の焼成後の固形分は、５５重量％の金属酸化物微粒子（ルチル型酸化チタン複合ゾル）と、３０重量％の有機ケイ素（γ―グリシドキシプロピルトリメトキシシラン）と、１５重量％の多官能エポキシ化合物（グリセロールポリグリシジルエーテル）とを含んでいる。
【００６９】
ハードコート層４３が積層されたレンズ基材４１の表面に、光の表面反射を防止する反射防止層４４を形成する。反射防止層４４を形成するための塗布液（低屈液）ＡＲ１は、例えば、γ―グリシドキシプロピルトリメトキシシラン１４部、テトラメトキシシラン１５部を混合したものに０．１Ｎ塩酸水溶液１３部を撹拌しながら滴下し、さらに４時間撹拌後、一昼夜熟成させて得た混合液に、プロピレングリコールメチルエーテル８７８部、中空シリカゾル（触媒化成工業（株）製、商品名オスカル特殊品）８０部、過塩素酸マグネシウム０．０４部、シリコーン系界面活性剤（日本ユニカー（株）製、商品名Ｌ−７００１）０．３部を添加して調製する。レンズ基材４１の表面（ハードコート層４３の表面）をプラズマ処理で親水化させた後、この塗布液ＡＲ１を、ハードコート層４３の表面に、湿式（ディッピング方式（引き上げ速度１５ｃｍ毎分））により塗布し、塗布後のレンズ基材４１を８０℃で３０分間風乾し、さらに、１２０℃で６０分焼成を行うことにより、約１００ｎｍ厚の多孔性の反射防止層（低屈膜）４４を形成する。塗布液ＡＲ１により形成された反射防止層４４の焼成後の固形分は、２５重量％のγ―グリシドキシプロピルトリメトキシシランと、１５重量％のテトラメトキシシランと、６０重量％の中空シリカゾルとを含んでいる。本液は、多官能エポキシ化合物（グリセロールポリグリシジルエーテル）を含んでいない。
【００７０】
反射防止層４４が積層されたレンズ基材４１の表面をフッ素系シラン化合物で撥水処理し、撥水膜（防汚層）４５が設けられた眼鏡レンズ１０を形成する。なお、眼鏡レンズ１０の表面１０ａの側においては、撥水処理する前に、調光機能を有する液体（コーティング液）を塗布することにより調光層３０を成膜する。調光機能を有するコーディング液としては、フォトクロミック化合物、ラジカル重合性単量体及びアミン化合物を含み、ラジカル重合性単量体がシラノール基または加水分解によりシラノール基を生成する基を有するラジカル重合性単量体を含むものを挙げることができる。
【００７１】
１．４．２  染色
本例では、このように製造された撥水膜付きの眼鏡レンズ１０を、９４℃の分散染料浴中に浸漬し、所望の模様を有する眼鏡レンズ１０を製造した。分散染料は、例えば、セイコープラックスダイヤコート用染色剤アンバーＤを用いることができる。染色剤を変えることにより色、模様を変えることができる。
【００７２】
図１７に示すように、眼鏡レンズ１０の表面（物体側の面）１０ａの全部に撥染色膜１６０ａを形成し、裏面（眼球１０１の側の面）１０ｂには鉛直視野角θｙが２５度から３０度の範囲をカバーする、染色剤の透過性に距離または角度依存性がある撥染色膜１６０ｂ１と、鉛直視野角θｙが０度から２５度の範囲をカバーする、透過性に依存性のない撥染色膜１６０ｂ２との組み合わせを形成する。撥染色膜としては、染色防止効果を備えた素材、たとえば、各種ののりや非透水性の素材からなるマスクまたはマスキング用のシートを用いることができる。９４℃の分散染料浴中に１０分間浸漬することにより、ハードコート層４３の鉛直視野角θｙが２５度から３０度までの領域に角度依存性のある染色を行う。
【００７３】
最初の染色を行った後、次に、眼鏡レンズ１０の裏面１０ｂを覆う撥染色膜１６０ｂ１を、鉛直視野角θｙが２０度から２５度の範囲をカバーする、染色剤の透過性に距離または角度依存性がある撥染色膜１６０ｂ２と、鉛直視野角θが０度から２０度の範囲をカバーする、透過性に依存性のない撥染色膜１６０ｂ３との組み合わせに変更し、９４℃の分散染料浴中に１０分間浸漬する。これによりハードコート層４３の鉛直視野角θが２５度以上の領域をさらに染色し、鉛直視野角θが２０度から２５度までの領域に角度依存性のある染色を行う。
【００７４】
同様に、眼鏡レンズ１０の裏面１０ｂを覆う撥染色膜１６０ｂ２および１６０ｂ３を、鉛直視野角θが１５度から２０度の範囲をカバーする、染色剤の透過性に距離または角度依存性がある撥染色膜１６０ｂ３と、鉛直視野角θが０度から１５度の範囲をカバーする、透過性に依存性のない撥染色膜１６０ｂ４との組み合わせに変更し、９４℃の分散染料浴中に１０分間浸漬する。これによりハードコート層４３の鉛直視野角θが２０度以上の領域をさらに染色し、鉛直視野角θが１５度から２０度までの領域に角度依存性のある染色を行う。水平方向についても鉛直方向と同様に、水平視野角θｘに応じて染色剤の透過性に距離または角度依存性がある撥染色膜と透過性に依存性のない撥染色膜とを組み合わせて染色を行う。このようにして高透光性領域１２から低透光性領域１４にかけてレンズの色の濃度（濃淡）が徐々に濃くなるグラディエント領域１６を有する眼鏡レンズ１０を製造し、提供できる。
【００７５】
なお、ハードコート層４３はさらに細かいステップで染色することによりグラディエント領域１６を多段に色が変化する領域で実現することも可能である。また、眼鏡レンズの染色または色づけは上記の方法に限らず、レンズ基材４１を染色してもよく、さらに、インクジェット方式やスプレー方式により処理液を塗布することによりドーナッツ状の模様を形成してもよい。インクジェット方式を用いてレンズの表面に処理液を塗布する方法は、たとえば、本願出願人の出願である特開２００１−３２７９０８号公報などに記載されている。
【００７６】
１．５  グラディエント領域を有する眼鏡レンズのファッション性
以上に説明したように、眼鏡レンズ１０には、高透光性領域１２の上側１８ｃ、下側１８ｄおよび耳側１８ｂの３方を囲むように、周辺に向かって遮光率が変化する領域（グラディエント領域）１６が設けられており、Ｃ字型状に遮光率が変化する、新しいデザインの、ファッション性の高い眼鏡レンズ１０および眼鏡１を提供できる。すなわち、遮光率の変化をレンズの色の濃度（濃淡）の変化としてレンズに付与でき、Ｃ字型状の色などの変化を備えた眼鏡レンズ１０は新しい装飾性を持った、ファッション性に富んだ眼鏡レンズ１０として認識される。上記に示した染色による遮光率の制御（調整）は一例であり、反射防止層４４の性能を調整して反射率（透過率）の変化により遮光率を制御したり、微細模様などにより実現される開口率の変化により遮光率を制御してもよく、いずれの場合も遮光率の変化は外から目に見える変化として眼鏡レンズ１０に反映される。
【００７７】
さらに、この眼鏡レンズ１０は、高透光性領域１２と、その高透光性領域１２の上側１８ｃ、下側１８ｄおよび耳側１８ｂの３方を囲むように設けられた、グラディエント領域１６を含む低透光性領域１４を有する。このため、上述したように高透光性領域１２で視野（視界）を確保し、低透光性領域１４でグレア光をカット（遮光）することができる。したがって、白内障などの障害があり、低透光性領域１４を有する眼鏡により機能を補助することが望ましいユーザーに限らず、一般のユーザーがグレア光の影響を抑制してコントラストの高い画像を得たり、強い可視光、近紫外または近赤外光による眼の疲労や眼に障害が発生するのを抑制するアイテムとして眼鏡レンズ１０を備えた眼鏡１を装着できる。
【００７８】
また、この眼鏡レンズ１０は、アイポイント１１を含む高透光性領域１２の上側１８ｃ、下側１８ｄおよび耳側１８ｂの３方を囲むように、周辺１５に向かって遮光率が変化する領域（グラディエント領域）１６が設けられている。アイポイント１１の位置はユーザーごとに個人差があるものの、一般的に耳側（眼鏡フレーム外側）１８ｂよりも鼻側（眼鏡フレーム中心側）１８ａに寄ったユーザーも存在する。このため、アイポイント１１が鼻側（眼鏡フレーム中心側）１８ａに寄ったユーザーに対しても、アイポイント１１を含む高透光性領域１２の上側１８ｃ、下側１８ｄおよび耳側１８ｂの方向から入射するグレア光を遮光（カット）し、防眩効果を高めるとともに良好な視野を確保できる。さらに、この眼鏡レンズ１０は、高透光性領域１２と、その高透光性領域１２の上側１８ｃ、下側１８ｄおよび耳側１８ｂの３方を囲むように設けられた、グラディエント領域１６を含む低透光性領域１４を有する。このため、眼鏡フレームの中心から水平方向に遠ざかる方向（１方向）にのみ遮光率が変化するレンズよりも、眼鏡フレームの中心側（鼻側１８ａ）における眩しさ（グレア）を抑制でき、左右の眼鏡レンズ１０では対称な形状で遮光率が変化する、斬新なデザインの、ファッション性の高い眼鏡レンズ１０を提供できる。
【００７９】
さらに、アイポイント１１が鼻側１８ａに寄った多くのユーザーの場合、水平視野角θｘが鼻側１８ａの方向（眼鏡フレーム９の中心側）に２０度を超える範囲から入射する障害グレア光５２はユーザー自身の鼻などの障害物により遮光（カット）できる可能性が高い。また、低透光性領域１４はＣ字型に鼻側１８ａの一部は途切れているが、Ｃ字型になっているので鼻側１８ａの上側１８ｃおよび下側１８ｄには低透光性領域１４が存在し、鼻側１８ａの斜め上および斜め下からのグレア光は効率よくカットできるデザインとなっている。
【００８０】
水平視野角θｘが耳側１８ｂの方向（眼鏡フレーム９の外側）に２０度を超える範囲から入射する障害グレア光５２については、放置すれば無意識に入射し続けて作業効率を著しく低下させるおそれがある。このため、鼻側１８ａよりも耳側１８ｂから入射する障害グレア光５２を遮光（カット）することは作業効率の低下を抑制する上で重要である。この眼鏡レンズ１０においては、高透光性領域１２と、その高透光性領域１２の上側１８ｃ、下側１８ｄおよび耳側１８ｂの３方を囲むように設けられた、グラディエント領域１６を含む低透光性領域１４を有するため、耳側１８ｂから入射し続ける障害グレア光５２を効果的に遮光（カット）することができる。
【００８１】
したがって、眼鏡レンズ１０は、一枚のレンズに美的効果（ファッション性）および防眩効果を備え、一般のユーザーや障害を持つユーザーがさらに気軽に使用できる眼鏡レンズ１０となっている。
【００８２】
２．  第２の実施形態
図１８（ａ）に、第２の実施形態に係る眼鏡レンズ１００ａを、物体側から見た正面図で示している。また、図１８（ｂ）に遮光層２０（ハードコート層４３）により実現されるアイポイント１１を含む鉛直方向の遮光率の分布を示している。この眼鏡レンズ１００ａは、アイポイント１１を含む高透光性領域１２と、高透光性領域１２の上側１８ｃ、下側１８ｄおよび耳側１８ｂの３方に鼻側１８ａを加えた４方（全周）を囲むように設けられた低透光性領域１４とを含み、低透光性領域１４は、高透光性領域１２よりも遮光率が高く、周辺１５に向かって遮光率が増加する領域（グラディエント領域）１６を含む。高透光性領域１２と、低透光性領域１４との境界１３を示す破線は仮想的な線であり、実際は現れない。たとえば、少なくとも弁別視力領域９１をカバーするために視野角θが１０度の範囲を高透光性領域１２に設定した場合には、高透光性領域１２の面積がレンズの面積に対して相対的に狭まる。このため、高透光性領域１２の鼻側１８ａの領域を低透光性領域１４で囲むことができる可能性があり、高透光性領域１２の上側１８ｃ、下側１８ｄおよび耳側１８ｂの３方に鼻側１８ａを加えた４方（全周）を囲むように低透光性領域１４を設けることができる。
【００８３】
したがって、眼鏡レンズ１００ａには、高透光性領域１２の上側１８ｃ、下側１８ｄ、耳側１８ｂおよび鼻側１８ａの４方（全周）を囲むように、周辺１５に向かって遮光率が変化する領域（グラディエント領域）１６が設けられている。このため、アイポイント１１が鼻側（眼鏡フレーム中心側）１８ａから耳側（眼鏡フレーム外側）１８ｂに若干移動したユーザーに対しても、アイポイント１１を含む高透光性領域１２の上側１８ｃ、下側１８ｄ、耳側１８ｂおよび鼻側１８ａの方向から入射するグレア光を遮光（カット）し、防眩効果を高めるとともに良好な視野を確保できる。さらに、この眼鏡レンズ１００ａは、高透光性領域１２と、その高透光性領域１２の４方（全周）を囲むように設けられた、グラディエント領域１６を含む低透光性領域１４を有するため、ドーナッツ状あるいは環状に遮光率が変化する、新しいデザインの、ファッション性の高い眼鏡レンズ１００ａを提供できる。この眼鏡レンズ１００ａも、図１および図２に示したように眼鏡フレーム９に装着することができ、ファッション性と、グレアカット機能とを合わせもった眼鏡１を提供できる。なお、本実施形態および以下の実施形態において第１の実施形態と共通する部分については共通の符号を付して説明を省略する。
【００８４】
この眼鏡レンズ１００ａにおいては、遮光率がほとんどない（たとえば遮光率が０％）透光性の高い高透光性領域１２が、視野角θが１０度の範囲まで広がっている。視野角θが１０度から２０度の範囲は、視野角θにほぼ比例して遮光率が０％から１０％に徐々に変化し、ハードコート層４３の視野角θが２０度から３０度の範囲は、視野角θにほぼ比例して遮光率が１０％から４０％に徐々に変化するように染色されている。視野角θが３０度以上の範囲は、遮光率４０％となるように染色されている。したがって、視野角θが１０度以下の範囲を高透光性領域１２、視野角θが１０度を超える範囲を低透光性領域１４、視野角θが１０度から３０度の範囲をグラディエント領域１６とすることができる。
【００８５】
なお、この眼鏡レンズ１００ａにおいても、第１の実施形態と同様に、調光層３０を物体側の面に設けることが可能であり、調光層３０の色の変化により眼鏡レンズ１００ａの全体（全面積）の遮光率を制御することが可能である。また、調光層３０は眼鏡レンズ１００ａの一部に設けたり、変色率が異なる領域を設けたりすることも可能であり、調光層３０とハードコート層４３を染色した遮光層２０との組み合わせにより様々なデザインの眼鏡レンズ１００ａを提供できる。また、以下に説明する他の眼鏡レンズの実施形態においても上記と同様に調光層３０を組み合わせることが可能である。
【００８６】
３．  第３の実施形態
図１９に、第３の実施形態に係る眼鏡レンズ１００ｂを、物体側から見た正面図で示している。この眼鏡レンズ１００ｂは、累進屈折力レンズであり、比較的遠くを見るための遠用領域１９２ｆと、比較的近くを見るための近用領域１９２ｎと、遠用領域１９２ｆと近用領域１９２ｎとの間にあって屈折力が連続的に変化する領域１９２ｍとを有する。そして、眼鏡レンズ１００ｂは、遠用領域１９２ｆの中心をアイポイント１１として高透光性領域１２が設けられており、高透光性領域１２の下側１８ｄが領域１９２ｍを介して近用領域１９２ｎの中心１１ａを含む範囲まで広がっている。このため、遠用領域１９２ｆの下側１８ｄに形成される近用領域１９２ｎが、レンズの縁周辺にまで及んでいるが、この眼鏡レンズ１００ｂは、アイポイント１１を含む高透光性領域１２の上側１８ｃ、鼻側１８ａおよび耳側１８ｂの３方を囲むように、周辺１５に向かって遮光率が変化する領域（グラディエント領域）１６を含む低透光性領域１４が設けられている。
【００８７】
したがって、眼鏡レンズ１００ｂは、下側１８ｄが途切れたＣ字型状の低透光性領域１４を有する。このため、低透光性領域１４により、遠用領域１９２ｆの中心をアイポイント１１とする高透光性領域１２の上側１８ｃ、鼻側１８ａおよび耳側１８ｂの方向から入射するグレア光を遮光（カット）し、防眩効果が得られる。また、眼鏡レンズ１００ｂの下側１８ｄの近用領域１９２ｎは高透光性領域１２が広く、広い視野が確保できている。また、低透光性領域１４はＣ字型に下側１８ｄの一部は途切れているが、Ｃ字型になっているので下側１８ｄの鼻側１８ａおよび耳側１８ｂには低透光性領域１４が存在し、下側１８ｄの斜め鼻側１８ａおよび斜め耳側１８ｂからのグレア光は効率よくカットできるデザインとなっている。このように、眼鏡レンズ１００ｂはグレアカット機能が高く、それとともに良好な視野を確保できる。
【００８８】
高透光性領域１２の形状は本例に限定されることなく、遠用領域１９２ｆの中心であるアイポイント１１を中心とする同心状、たとえば同心円状あるいは楕円状であってもよく、累進屈折力レンズであることが目立ちにくい、ドーナッツ状の模様を含むデザインの眼鏡レンズとすることも可能である。
【００８９】
このように、本発明は累進屈折力レンズにも適用できる。特に、遠用領域１９２ｆを使用する際は、太陽光や夜間照明などが障害グレア光５２となりやすいので、この眼鏡レンズ１００ｂにおいてはそのような障害グレア光５２の影響を抑制でき、昼夜の弁別能力を向上できる。また、累進屈折力レンズの遠用中心（アイポイント）１１を中心として周囲に向かってレンズの色や反射率が変化する眼鏡レンズは新しいデザインであり、ファッション性に富んだ眼鏡レンズ１００ｂを提供できる。
【００９０】
４．  第４の実施形態
図２０（ａ）に、第４の実施形態に係る左目用の眼鏡レンズ１００ｃの遮光層２０の、アイポイント１１を含む鉛直方向の視野角（鉛直視野角）θｙに対する遮光率の分布（変化）を示している。図２０（ｂ）に、第４の実施形態に係る左目用の眼鏡レンズ１００ｃの遮光層の、アイポイント１１を含む水平方向の視野角（水平視野角）θｘに対する遮光率の分布（変化）を示している。この眼鏡レンズ１００ｃも、アイポイント１１を含む高透光性領域１２と、高透光性領域１２の上側１８ｃ、下側１８ｄおよび耳側１８ｂの３方を囲むように設けられた低透光性領域１４とを含み、低透光性領域１４は、高透光性領域１２よりも遮光率が高く、周辺１５に向かって遮光率が変化する領域（グラディエント領域）１６を含む。
【００９１】
ただし、この眼鏡レンズ１００ｃにおいては、低透光性領域１４のグラディエント領域１６は、高透光性領域１２との境界１３の近傍１７で周辺１５に向かって徐々に、しかしながら比較的に急激に色が濃くなる領域１６ａと、その領域１６ａの外側で周辺１５に向かって徐々に色が薄くなる領域１６ｂとを含む。このため、この眼鏡レンズ１００ｃの低透光性領域１４は、周辺１５に向かって一端遮光率が増加するグラディエント領域１６ａと、その外側で遮光率が周辺１５に向かって減少するグラディエント領域１６ｂとを含む。
【００９２】
たとえば、図２０（ａ）に示すように、鉛直視野角θｙが０度から１５度の範囲は染色されておらず、遮光率は０％となっている。鉛直視野角θｙが１５度から２０度の範囲は、遮光率が０％から３０％程度まで高くなりグラディエント領域１６ａを形成している。鉛直視野角θｙが２０度から３０度の範囲は、遮光率が３０％から１０％まで減少しグラディエント領域１６ｂを形成している。一方、図２０（ｂ）に示すように、水平視野角θｘが０度から２０度の範囲は染色されておらず、遮光率は０％となっている。水平視野角θｘが耳側１８ｂの方向に２０度から３０度の範囲は、遮光率が０％から３０％程度まで高くなりグラディエント領域１６ａを形成している。水平視野角θｘが耳側１８ｂの方向に３０度から５０度の範囲は、遮光率が３０％から１０％まで減少しグラディエント領域１６ｂを形成している。
【００９３】
この眼鏡レンズ１００ｃにおいては、内側に設けられた、周辺に向かっていったん遮光率が増加するグラディエント領域１６ａにより、高透光性領域１２と低透光性領域１４との間の境界１３をぼかして、高透光性領域１２と低透光性領域１４との間に明確な境界が生じることを防止できる。また、グラディエント領域１６ａにより、高透光性領域１２に近い部分に一端レンズの色の濃度（濃淡）が濃くなる部分をデザインできるので、目元にインパクトを持たせたオリジナリティ溢れるデザインの眼鏡レンズ１００ｃを提供できる。
【００９４】
さらに、グラディエント領域１６ｂは、上記の実施形態とは逆に周辺１５に向かって遮光率が徐々に低くなる。図７に示すように、減能グレア光（障害グレア光）５２であっても、グレア角φが小さい方が視効率（見えやすさ）は低下し、グレア角φが大きい方がグレア光の影響は小さくなる。したがって、減能グレア光５２をカットするという点では視野角θ（鉛直視野角θｙ、水平視野角θｘ）が小さい方が遮光率は大きく、視野角θ（鉛直視野角θｙ、水平視野角θｘ）が大きくなるにつれて遮光率は低くなってもよい。
【００９５】
図７に示すように、減能グレア光５２の範囲では、視効率はグレア角φに比例して向上する。したがって、グラディエント領域１６ｂにおいては、グレアカットのための遮光率は視野角θ（鉛直視野角θｙ、水平視野角θｘ）に比例して減少するものであってもよい。このため、図２０（ａ）および（ｂ）に示す眼鏡レンズ１００ｃのように、低透光性領域１４は周辺１５に向かってレンズの色の濃度（濃淡）が薄くなる領域１６ｂを含んでいてもよく、装用者のコントラスト感度を確保することができる。また、上記の実施形態と異なる方向の色の変化は同じＣ字型状の色の変化であっても新たなデザインとして認識されうるので好ましい。
【００９６】
５．  第５の実施形態
図２１（ａ）に、第５の実施形態に係る左目用の眼鏡レンズ１００ｄの遮光層２０の、アイポイント１１を含む鉛直方向の視野角（鉛直視野角）θｙに対する遮光率の分布（変化）を示している。図２１（ｂ）に、第５の実施形態に係る左目用の眼鏡レンズ１００ｄの遮光層の、アイポイント１１を含む水平方向の視野角（水平視野角）θｘに対する遮光率の分布（変化）を示している。この眼鏡レンズ１００ｄも、アイポイント１１を含む高透光性領域１２と、高透光性領域１２の上側１８ｃ、下側１８ｄおよび耳側１８ｂの３方を囲むように設けられた低透光性領域１４とを含み、低透光性領域１４は、高透光性領域１２よりも遮光率が高く、周辺１５に向かって遮光率が変化する領域（グラディエント領域）１６を含む。本例のグラディエント領域１６は、遮光層２０の色の濃度（濃淡）が多段階に変わる領域を含む。
【００９７】
具体的には、図２１（ａ）に示すように、アイポイント１１を含む鉛直方向のグラディエント領域１６は、２段階に変化しており、鉛直視野角θｙが１５度から２５度の範囲で遮光率が１０％の領域１６ｃと、鉛直視野角θｙが２５度から３０度の範囲で遮光率が２０％の領域１６ｄとを含む。一方、図２１（ｂ）に示すように、アイポイント１１を含む水平方向のグラディエント領域１６は、３段階に変化しており、水平視野角θｘが耳側１８ｂの方向に２０度から３０度の範囲で遮光率が１０％の領域１６ｃと、水平視野角θｘが耳側１８ｂの方向に３０度から４０度の範囲で遮光率が２０％の領域１６ｄと、水平視野角θｘが耳側１８ｂの方向に４０度から５０度の範囲で遮光率が３０％の領域１６ｅとを含む。
【００９８】
多段階に遮光率が変化するグラディエント領域１６の各領域１６ｃ〜１６ｅの境界部分は、遮光率が階段状に変わって濃度の変化がエッジとして眼鏡レンズ１００ｄのデザインに現れるものであってもよい。また、グラディエント領域１６の各領域１６ｃ〜１６ｅの境界部分の遮光率が徐々に変わって、眼鏡レンズ１００ｄのデザインにエッジが見えないものであってもよい。本例の眼鏡レンズ１００ｄは、多段階に遮光率が変化する各領域１６ｃ〜１６ｅの境界部分は遮光率が徐々に増加するようにデザインしている。
【００９９】
この眼鏡レンズ１００ｄにおいては、鉛直方向における内側の遮光率が低い領域１６ｃが自由視を優先した中間領域９６にほぼ対応し、その外側の領域１６ｄが障害グレア光５２の阻止を優先しながら眼球１０１の視野感度を有効に生かそうとする領域９７にほぼ対応する。一方、水平方向における内側の遮光率が低い領域１６ｃが障害グレア光５２の阻止を優先しながら眼球１０１の視野感度を有効に生かそうとする領域９７に対応し、その外側の領域１６ｄおよびさらにその外側の領域１６ｅは障害グレア光５２のカットを優先したグレアカット領域９３に対応する。
【０１００】
これらの多段に遮光率が変化するグラディエント領域１６は、染色によりレンズの色の濃淡を変化させるだけでなく、色そのものを変えたり、反射率を変化させることにより製造可能である。したがって、多段の領域ごとに色合いの変化を設けたりすることが可能であり、さらにデザインの選択範囲が広がり、よりファッション性を高めたり、装飾品として価値の高い眼鏡レンズ１００ｄを提供できる。
【０１０１】
６．  第６の実施形態
図２２（ａ）に、第６の実施形態に係る左目用の眼鏡レンズ１００ｅの遮光層２０の、アイポイント１１を含む鉛直方向の視野角（鉛直視野角）θｙに対する遮光率の分布（変化）を示している。図２２（ｂ）に、第６の実施形態に係る左目用の眼鏡レンズ１００ｅの遮光層の、アイポイント１１を含む水平方向の視野角（水平視野角）θｘに対する遮光率の分布（変化）を示している。この眼鏡レンズ１００ｅも、アイポイント１１を含む高透光性領域１２と、高透光性領域１２の上側１８ｃ、下側１８ｄおよび耳側１８ｂの３方を囲むように設けられた低透光性領域１４とを含み、低透光性領域１４は、高透光性領域１２よりも遮光率が高く、周辺１５に向かって遮光率が変化する領域（グラディエント領域）１６を含む。本例のグラディエント領域１６も多段階に遮光率が変化する領域１６ｆ〜１６ｈを含む。ただし、本例の多段階に遮光率が変化する領域１６ｆ〜１６ｈは周辺１５に向かって多段階に薄くなっている。
【０１０２】
すなわち、図２２（ａ）に示すように、鉛直方向における内側の領域１６ｆは、鉛直視野角θｙが１５度から２５度の範囲で遮光率が３０％であり、その外側の領域１６ｇは鉛直視野角θｙが２５度から３０度の範囲で遮光率が２０％である。一方、図２２（ｂ）に示すように、水平方向における内側の領域１６ｆは、水平視野角θｘが耳側１８ｂの方向に２０度から３０度の範囲で遮光率が３０％であり、その外側の領域１６ｇは水平視野角θｘが３０度から４０度の範囲で遮光率が２０％であり、さらのその外側の領域１６ｈは水平視野角θｘが４０度から５０度の範囲で遮光率が１０％である。これらの領域１６ｆ〜１６ｈの境界は遮光率が急激に変化してもよく、徐々に変化してもよい。最も内側の領域１６ｆと高透光性領域１２との境界部分は、遮光率の差が大きくなるので、周辺１５に向けて急激ではあっても徐々に遮光率が増加するようにデザインすることが好ましい。
【０１０３】
この眼鏡レンズ１００ｅは、第４の実施形態の眼鏡レンズ１００ｃと同様に、目元にインパクトを持たせることができる。それとともに、減能グレア光５２による視効率が最も低下しやすい視野角θ（鉛直視野角θｙ、水平視野角θｘ）の小さい領域のグレア光を効果的にカットでき、コントラスト感度を上げることができる。さらに、色合いの変化も楽しめる色鮮やかな眼鏡レンズ１００ｅを提供できる。
【０１０４】
７．  第７の実施形態
図２３（ａ）に、第７の実施形態に係る左目用の眼鏡レンズ１００ｆの遮光層２０の、アイポイント１１を含む鉛直方向の視野角（鉛直視野角）θｙに対する遮光率の分布（変化）を示している。図２３（ｂ）に、第７の実施形態に係る左目用の眼鏡レンズ１００ｆの遮光層の、アイポイント１１を含む水平方向の視野角（水平視野角）θｘに対する遮光率の分布（変化）を示している。
【０１０５】
図２３（ａ）および（ｂ）は、裏面１０ｂのハードコート層４３の染色濃度の分布と、表面１０ａの反射防止層４４の近赤外光（波長７６０〜１３００ｎｍ）の波長選択性とを示している。この眼鏡レンズ１００ｆの遮光層２０は、アイポイント１１を含む高透光性領域１２と、高透光性領域１２の上側１８ｃ、下側１８ｄおよび耳側１８ｂの３方を囲むように設けられた低透光性領域１４とを含み、さらに低透光性領域１４は、周辺１５に向かって染色濃度（濃淡）を徐々に増加させたグラディエント領域１６を含む。また、反射防止層４４の低透光性領域１４に相当する部分は、近赤外光を選択的に透過しない設計となっており、低透光性領域１４の近赤外光の遮光率はほぼ１００％になっている。
【０１０６】
網膜疾患、脈絡膜疾患などのある装用者は光刺激に敏感であり痛みを感じ、炎症性疾患を併発していることも多い。したがって、血管拡張に繋がるような刺激は避けることが望ましく、近赤外光が眼球１０１に入ることを抑制することが望ましい。一方、近赤外光を眼鏡レンズの全面で遮蔽することは、反射防止層４４の設計によっては可視光の長波長側の感度を低下させる可能性があり、日常生活に支障をきたすおそれがある。この眼鏡レンズ１００ｆにおいては、低透光性領域１４において選択的に近赤外光を遮蔽することにより、減能グレア光５２のように定常的に眼球１０１に入る可能性がある光源１０３からの近赤外光を遮蔽できるとともに、視軸１０５の色感度が低下することを抑制できる。さらに、減能グレア光５２をカットすることにより弁別能力の向上を図り、作業能率の低下を抑制できる。
【０１０７】
反射防止層４４の波長選択性は、反射防止層４４が無機多層膜であれば、近赤外光の透過率が他の可視光よりも低くなるように各層の厚みを設定することにより実現できる。また、反射防止層４４により長波長側の波長選択性が可視光にほとんど影響なく設定できる場合は、眼鏡レンズ１００ｆの全面にわたり近赤外光の遮光率を高くすることは有効である。さらに、反射防止層４４としてではなく、近赤外光を反射するための層を新たに成膜してもよい。
【０１０８】
さらに、網膜疾患、脈絡膜疾患などのある装用者においては可視光も光刺激となる場合がある。したがって、可視光（たとえば４６０〜６００ｎｍ）の強度も半減できることが望ましい。このため、ハードコート層４３の染色濃度を比較的高くし、遮光率がグレアカット領域９３で５０％程度に達するようにすることが有効である。
【０１０９】
たとえば、図２３（ａ）に示すように、鉛直方向における低透光性領域１４のグラディエント領域１６は、鉛直視野角θｙが１５度から２０度程度の中間領域９６においては、周辺１５に向かって徐々に、しかしながら比較的急激に色が濃くなる領域１６ｉと、その領域１６ｉの外側、すなわち鉛直視野角θｙが２０度から３０度のグレアカット領域９３においては、周辺１５に向かって徐々に色が濃くなる領域１６ｊとを含む。本例においては、グラディエント領域１６ｉでは、鉛直視野角θｙが１５度から２０度の範囲で遮光率が０％から５０％程度まで高くなり、グラディエント領域１６ｊでは、鉛直視野角θｙが２０度から３０度の範囲で遮光率が５０％から６０％程度まで高くなっている。
【０１１０】
一方、図２３（ｂ）に示すように、水平方向における低透光性領域１４のグラディエント領域１６は、水平視野角θｘが耳側１８ｂの方向に２０度から３０度程度のグレアカット領域９３においては、周辺１５に向かって徐々に、しかしながら比較的急激に色が濃くなる領域１６ｉと、その領域１６ｉの外側、すなわち水平視野角θｘが耳側１８ｂの方向に３０度から５０度のグレアカット領域９３においては、周辺１５に向かって徐々に色が濃くなる領域１６ｊとを含む。本例においては、グラディエント領域１６ｉでは、水平視野角θｘが耳側１８ｂの方向に２０度から３０度の範囲で遮光率が０％から５０％程度まで高くなり、グラディエント領域１６ｊでは、水平視野角θｘが耳側１８ｂの方向に３０度から５０度の範囲で遮光率が５０％から６０％程度まで高くなっている。
【０１１１】
さらに、調光層３０との組み合わせにより、アイポイント１１の周辺の高透光性領域１２においても、屋外などの光刺激の強い環境では遮光率が５０％以上になるように設計することが望ましい。
【０１１２】
近赤外光が眼球１０１に入ることを抑制することは、健常者においても眼球１０１の障害の発生を避けるために有効である。したがって、この眼鏡レンズ１００ｆは上記のような障害を有するユーザーのみならず一般のユーザーにとっても装着することは有効である。さらに、この眼鏡レンズ１００ｆはグラディエント領域１６を備え、ファッション性に富んだ眼鏡レンズとして提供できる。すなわち、この眼鏡レンズ１００ｆはユニバーサルデザイン化された眼鏡レンズであり、治療用のみならず、ファッションの一つのアイテムとして装着することができる。このため、上記障害を抱える装用者に対しても、他者に明らかに治療用であるとの認識を抱かせることなく、また、一般のユーザーも抵抗感を抱くことなく気軽に使用することができる。
【０１１３】
８．  第８の実施形態
図２４（ａ）に、第８の実施形態に係る左目用の眼鏡レンズ１００ｇの遮光層２０の、アイポイント１１を含む鉛直方向の視野角（鉛直視野角）θｙに対する遮光率の分布（変化）を示している。図２４（ｂ）に、第８の実施形態に係る左目用の眼鏡レンズ１００ｇの遮光層の、アイポイント１１を含む水平方向の視野角（水平視野角）θｘに対する遮光率の分布（変化）を示している。
【０１１４】
図２４（ａ）および（ｂ）は、裏面１０ｂのハードコート層４３の染色濃度の分布と、表面１０ａの反射防止層４４の近紫外光（波長３１０〜４００ｎｍ）の波長選択性とを示している。この眼鏡レンズ１００ｇの遮光層２０は、アイポイント１１を含む高透光性領域１２と、高透光性領域１２の上側１８ｃ、下側１８ｄおよび耳側１８ｂの３方を囲むように設けられた低透光性領域１４とを含み、さらに低透光性領域１４は、周辺１５に向かって染色濃度（濃淡）を徐々に増加させたグラディエント領域１６を含む。また、反射防止層４４の低透光性領域１４に相当する部分は、近紫外光を選択的に透過しない設計となっており、低透光性領域１４の近紫外光の遮光率はほぼ１００％になっている。
【０１１５】
角膜障害、白内障、緑内障などの疾患のある装用者は眼球（水晶体）などの眼組織において生ずる散乱光により網膜像のコントラスト低下が著しい。したがって、散乱光になり易い短波長側の近紫外光が眼球１０１に入ることを抑制することが望ましい。一方、近紫外光を眼鏡レンズの全面で遮蔽することは、反射防止層４４の設計によっては可視光の短波長側の感度を低下させる可能性があり、日常生活に支障をきたすおそれがある。この眼鏡レンズ１００ｇにおいては、低透光性領域１４において選択的に近紫外光を遮蔽することにより、減能グレア光５２のように定常的に眼球１０１に入る可能性がある光源１０３からの近紫外光を遮蔽できるとともに、視軸１０５の色感度が低下することを抑制できる。さらに、減能グレア光５２をカットすることにより弁別能力の向上を図り、作業能率の低下を抑制できる。
【０１１６】
反射防止層４４の波長選択性は、上記の例と同様に反射防止層４４が無機多層膜であれば、近紫外光の透過率が他の可視光よりも低くなるように各層の厚みを設定することにより実現できる。また、反射防止層４４により短波長側の波長選択性が可視光にほとんど影響なく設定できる場合は、眼鏡レンズ１００ｇの全面にわたり近紫外光の遮光率を高くすることは有効である。さらに、反射防止層４４としてではなく、近紫外光を反射するための層を新たに成膜してもよい。
【０１１７】
さらに、角膜障害、白内障、緑内障などの疾患のある装用者においては可視光も散乱光となりコントラスト低下につながる。したがって、上記の例と同様に可視光（たとえば４６０〜６００ｎｍ）の強度も半減できることが望ましい。近紫外光が眼球１０１に入ることを抑制することは、近赤外光と同様に健常者においても眼球１０１の障害の発生を避けるために有効である。したがって、この眼鏡レンズ１００ｇも上記のような障害を有するユーザーのみならず一般のユーザーにとっても装着することは有効である。さらに、近紫外光を遮断でき、可視光も光強度が強い状況では減光できる眼鏡レンズ１００ｇは多種多様なユーザーにおいて有効である。そのような眼鏡レンズを、本発明においてはグラディエント領域１６を備え、ファッション性に富んだ眼鏡レンズ１００ｇとして提供できる。したがって、治療用のみならず、ファッションの一つのアイテムとして様々なユーザーが、抵抗感を抱くことなく気軽に使用できる。なお、上記ファッション性を備え、かつ、近紫外光および近赤外光の両方を遮断できる眼鏡レンズも有効である。
【０１１８】
なお、上記においては１対の眼鏡レンズを備えた眼鏡に基づき本発明を説明しているが、本発明は左右一組の二眼形の眼鏡レンズだけに限定されず、視野が広い一眼形や、密閉性の高いゴーグル形などの様々なタイプのレンズにも適用できる。また、視力矯正能力を有しないサングラスやゴーグルにも適用可能であり、これらは本願の請求の範囲に含まれる。さらに、眼鏡レンズ１０を装着する眼鏡フレーム９は、縁無しのフレームだけでなく縁有りのフレームであってもよい。
【符号の説明】
【０１１９】
１  眼鏡、  ９  眼鏡フレーム、  １０  眼鏡レンズ、  １１  アイポイント
１２  高透光性領域、  １４  低透光性領域、  １６  グラディエント領域
２０  遮光層、  ３０  調光層
１９２ｆ  遠用領域、  １９２ｎ  近用領域、  １９２ｍ  中間領域
【図４】
2011081232.tif 000003
【図６】
2011081232.tif 000004
【図７】
2011081232.tif 000005
【図８】
2011081232.tif 000006
【図９】
2011081232.tif 000007
【図１０】
2011081232.tif 000008
【図１１】
2011081232.tif 000009
【図１２】
2011081232.tif 000010
【図１３】
2011081232.tif 000011
【図１４】
2011081232.tif 000012
【図１５】
2011081232.tif 000013
【図１６】
2011081232.tif 000014
【図１７】
2011081232.tif 000015
【図２０】
2011081232.tif 000016
【図２１】
2011081232.tif 000017
【図２２】
2011081232.tif 000018
【図１】
2011081232.tif 000019
【図２】
2011081232.tif 000020
【図３】
2011081232.tif 000021
【図５】
2011081232.tif 000022
【図１８】
2011081232.tif 000023
【図１９】
2011081232.tif 000024
【図２３】
2011081232.tif 000025
【図２４】
2011081232.tif 000026